(57)【要約】【課題】第１筐体１と第２筐体２とが２軸ヒンジ機構３を介して互いに連結され、第１筐体１の側部には、閉じ状態の第２筐体２によって覆われる領域に、１或いは複数の操作釦16、17と、該操作釦を保持する合成樹脂製の釦ホルダー４とが配備されている折り畳み式電子機器において、従来よりも部品点数を削減する。【解決手段】本発明に係る折り畳み式電子機器において、釦ホルダー４には、第２筐体２がその背面22を第１筐体１の側部に沿わせて折り畳まれたとき、該第２筐体２の背面22を受け止めるべきストッパー41が、一体成型によって突設されている。【選択図】図４
2011120160.tif 000002
【特許請求の範囲】
【請求項１】
撮影レンズが配備された第１筐体と、ディスプレイが配備された第２筐体と、第１筐体の側部に第２筐体を開閉可能に連結する２軸ヒンジ機構とを具え、第１筐体に対して第２筐体を２軸ヒンジ機構の第１軸回りに回動させて開くと共に、第２筐体を開き状態で２軸ヒンジ機構の第２軸回りに回動させてディスプレイの向きを反転させることが可能であって、第１筐体の側部には、閉じ状態の第２筐体によって覆われる領域に、１或いは複数の操作釦と、該操作釦を保持する合成樹脂製の釦ホルダーとが配備されている折り畳み式電子機器において、前記釦ホルダーには、第２筐体がその背面を第１筐体の側部に沿わせて折り畳まれたとき、該第２筐体の背面を受け止めるべきストッパーが、一体成型によって突設されていることを特徴とする折り畳み式電子機器。
【請求項２】
前記ストッパーを具えた釦ホルダーは、第２筐体の背面を形成する部材よりも軟質の合成樹脂によって形成されている請求項１に記載の折り畳み式電子機器。
【発明の詳細な説明】
【技術分野】
【０００１】
本発明は、カメラや携帯電話機等の電子機器に関し、特に、２軸ヒンジ機構を具えて２つの筐体を折り畳むことが可能な折り畳み式電子機器に関するものである。
【背景技術】
【０００２】
従来、２軸ヒンジ機構を具えて２つの筐体を折り畳むことが可能な電子機器が提案されている(特許文献１)。
例えば、静止画や動画を撮影することが可能なビデオカメラにおいては、図５及び図６に示す如く、撮影レンズ及び操作部(92)が配備された第１筐体(９)と、液晶ディスプレイ(93)が配備された第２筐体(91)とが、２軸ヒンジ機構(90)によって互いに開閉可能に連結されている。
【０００３】
該ビデオカメラにおいては、図５の如く第１筐体(９)に対して第２筐体(91)を２軸ヒンジ機構(90)の第１軸回りに回動させて開くと共に、図６の如く第２筐体(91)を開き状態で２軸ヒンジ機構(90)の第２軸回りに回動させて前記液晶ディスプレイの向きを反転させることが可能となっている。
【０００４】
又、上記ビデオカメラにおいては、図６の如く、第１筐体(９)の側部に、閉じ状態の第２筐体(91)によって覆われることとなる領域に、電源釦(94)が配備されると共に、第２筐体(91)が図６に示す反転状態で折り畳まれたときに該第２筐体(91)の背面(96)を受け止めるべきストッパー(95)が配備されている。
ストッパー(95)の配備によって、第２筐体(91)が図６に示す反転状態で折り畳まれたときに第２筐体(91)の背面(96)が第１筐体(９)の構成部品と衝突して損傷を受けることが防止される。
【先行技術文献】
【特許文献】
【０００５】
【特許文献１】特開２００９−１１１７３７号公報
【発明の概要】
【発明が解決しようとする課題】
【０００６】
しかしながら、図６及び図７に示すビデオカメラにおいては、第１筐体(９)の側部に電源釦(94)のみならず、ストッパー(95)が単体部品として配備されていたために、部品点数が多くなる問題があった。
そこで本発明の目的は、従来よりも部品点数の削減が可能な折り畳み式電子機器を提供することである。
【課題を解決するための手段】
【０００７】
本発明に係る折り畳み式電子機器は、撮影レンズが配備された第１筐体と、ディスプレイが配備された第２筐体と、第１筐体の側部に第２筐体を開閉可能に連結する２軸ヒンジ機構とを具え、第１筐体に対して第２筐体を２軸ヒンジ機構の第１軸回りに回動させて開くと共に、第２筐体を開き状態で２軸ヒンジ機構の第２軸回りに回動させてディスプレイの向きを反転させることが可能となっている。
又、第１筐体の側部には、閉じ状態の第２筐体によって覆われる領域に、１或いは複数の操作釦と、該操作釦を保持する合成樹脂製の釦ホルダーとが配備されている。
ここで、前記釦ホルダーには、第２筐体がその背面を第１筐体の側部に沿わせて折り畳まれたとき、該第２筐体の背面を受け止めるべきストッパーが、一体成型によって突設されている。
【０００８】
本発明に係る折り畳み式電子機器においては、第２筐体がその背面を第１筐体の側部に沿わせて折り畳まれたとき、該第２筐体の背面がストッパーに当接して受け止められる。ここで、ストッパーを、第２筐体の背面を形成する部材よりも軟質の合成樹脂(例えばエラストマー)によって形成すれば、第２筐体の背面が損傷を受けることはない。
【発明の効果】
【０００９】
本発明に係る折り畳み式電子機器においては、第１筐体の側部に配備されるべき釦ホルダーと第２筐体を受け止めるためのストッパーとが、１つの樹脂部品によって形成されているのに対し、従来の折り畳み式電子機器においては、釦ホルダーとストッパーとが別部品として配備されていた。従って、本発明に係る折り畳み式電子機器によれば、部品点数の削減が可能である。
【図面の簡単な説明】
【００１０】
【図１】図１は、本発明の一実施態様であるビデオカメラの閉じ状態の斜視図である。
【図２】図２は、該ビデオカメラの開き状態の斜視図である。
【図３】図３は、該ビデオカメラにおいて第１筐体の側部から２つの釦と釦ホルダーを取り外した状態を示す斜視図である。
【図４】図４は、該ビデオカメラにおいて開き状態の第２筐体を反転させた状態を示す斜視図である。
【図５】図５は、従来のビデカメラの開き状態を示す斜視図である。
【図６】図６は、該ビデオカメラにおいて開き状態の第２筐体を反転させた状態を示す斜視図である。
【発明を実施するための形態】
【００１１】
以下、本発明を静止画及び動画の撮影が可能なビデオカメラに実施した形態につき、図面に沿って具体的に説明する。
本発明の一実施態様であるビデオカメラは、図１及び図２に示す如く、撮影レンズ(11)が配備された第１筐体(１)と、液晶ディスプレイ(21)が配備された第２筐体(２)とを具え、両筐体(１)(２)は２軸ヒンジ機構(３)によって互いに開閉可能に連結されている。
【００１２】
該ビデオカメラにおいては、２軸ヒンジ機構(３)の動作によって、図１に示す閉じ状態と図２に示す開き状態を設定することが可能である。又、図２に示す開き状態から第２筐体(２)を回転させることによって、図４に示す如く液晶ディスプレイ(21)の向きを反転させることが出来る。
【００１３】
図１及び図２に示す如く、第１筐体(１)の後部には、動画撮影釦(14)と静止画撮影釦(15)が配備されると共に、第１筐体(１)の前部にも、動画撮影釦(12)と静止画撮影釦(13)が配備されている。これによって、ユーザは、ハイアングルでの撮影時には後方の動画撮影釦(14)及び静止画撮影釦(15)を操作し、ローアングルでの撮影時には前方の動画撮影釦(12)及び静止画撮影釦(13)を操作することが出来る。
【００１４】
更に、第１筐体(１)の側面には、図２の如く閉じ状態の第２筐体(２)によって覆われることとなる領域に、電源釦(16)と再生釦(17)が配備され、これらの釦(16)(17)はシート状の釦ホルダー(４)によって保持されている。
【００１５】
第１筐体(１)の内部には、図３に示す如く本体機構部(５)が収容されており、該本体機構部(５)の側面は金属板(51)によって覆われている。該金属板(51)は、本体機構部(５)の熱を放散させるヒートシンクの機能を発揮する。
尚、金属板(51)の表面には必要に応じて樹脂シートが設置される。
【００１６】
本体機構部(５)の側部には、２つのスイッチ部(52)(53)が配備されており、これらのスイッチ部(52)(53)はそれぞれ電源釦(16)及び再生釦(17)の押下操作によってオンとなる。
電源釦(16)及び再生釦(17)を保持する釦ホルダー(４)は、エラストマー製であって、電源釦(16)及び再生釦(17)の頭部が臨出すべき２つの開口(42)(43)が形成されている。又、釦ホルダー(４)の表面の端部には、一体成型によってストッパー(41)が突設されている。
【００１７】
図４に示す如く、第２筐体(２)が開かれると共に液晶ディスプレイ(21)の向きを反転させた状態から、第２筐体(２)が第１筐体(１)側に折り畳まれたとき、該第２筐体(２)の背面(22)がストッパー(41)に当接して受け止められる。ここで、ストッパー(41)はエラストマーによって形成されているので、第２筐体(２)の背面(22)が損傷を受けることはない。
【００１８】
上記ビデオカメラにおいては、第２筐体(２)の背面(22)を受け止めるべきストッパー(41)が、釦ホルダー(４)と一体に形成されているので、従来のビデオカメラに比べて部品点数が削減されることになる。
尚、釦ホルダー(４)は従来のビデオカメラにも配備されていたので、その釦ホルダー(４)にストッパー(41)を形成することは、金型の一部変更で容易に実施することが可能である。
【００１９】
尚、本発明の各部構成は上記実施の形態に限らず、特許請求の範囲に記載の技術的範囲内で種々の変形が可能である。例えば、釦ホルダー(４)の材質はエラストマーに限らず、第２筐体(２)の背面(22)を形成する部材よりも軟質の種々の合成樹脂を採用することが出来る。
【符号の説明】
【００２０】
(１)  第１筐体
(12)  動画撮影釦
(13)  静止画撮影釦
(14)  動画撮影釦
(15)  静止画撮影釦
(２)  第２筐体
(21)  液晶ディスプレイ
(３)  ２軸ヒンジ機構
(５)  本体機構部
(52)  スイッチ部
(53)  スイッチ部
(16)  電源釦
(17)  再生釦
(４)  釦ホルダー
(41)  ストッパー
【図１】
2011120160.tif 000003
【図２】
2011120160.tif 000004
【図３】
2011120160.tif 000005
【図４】
2011120160.tif 000006
【図５】
2011120160.tif 000007
【図６】
2011120160.tif 000008